(57)【特許請求の範囲】
【請求項１】
上位ネットワークからのページング指令に応答して基地局制御装置から移動局を一斉に呼出すページング処理を行うページングシステムであって、
前記ページング指令には、前記基地局制御装置における移動局ＩＤの検索処理の要・不要を示す検索不要フラグが含まれることを特徴とするページングシステム。
【請求項２】
前記ページング指令に含まれる前記検索不要フラグが検索不要を示す場合に、前記基地局制御装置で前記移動局ＩＤの検索を行わないようにしたことを特徴とする請求項１記載のページングシステム。
【請求項３】
前記上位ネットワークの移動通信交換局がパケットサービスと回線交換サービスとの連携機能を有する場合、前記移動通信交換局で前記移動局ＩＤの検索不要フラグは検索不要に設定され、前記基地局制御装置は前記検索不要フラグが検索不要であると判定して前記移動局ＩＤの検索を行わないようにしたことを特徴とする請求項１記載のページングシステム。
【請求項４】
前記基地局制御装置は、前記移動局ＩＤの検索不要フラグが検索不要を示す場合、ページングチャネルを用いて前記ページング処理を行うことを特徴とする請求項３記載のページングシステム。
【請求項５】
上位ネットワークからのページング指令に応答して移動局を一斉に呼出すページング処理を行う基地局制御装置であって、
前記ページング指令に含まれる前記移動局ＩＤの検索処理の要・不要を示す検索不要フラグが、検索不要であると判定した場合に、前記移動局ＩＤの検索を行わないようにしたことを特徴とする基地局制御装置。
【請求項６】
前記移動局ＩＤの検索不要フラグが検索不要を示す場合、ページングチャネルを用いて前記ページング処理を行うことを特徴とする請求項５記載の基地局制御装置。
【請求項７】
上位ネットワークからのページング指令に応答して基地局制御装置から移動局を一斉に呼出すページング処理を行うページング方法であって、
前記ページング指令には、前記基地局制御装置における移動局ＩＤの検索処理の要・不要を示す検索不要フラグが含まれることを特徴とするページング方法。
【請求項８】
前記ページング指令に含まれる前記検索不要フラグが検索不要を示す場合に、前記基地局制御装置で前記移動局ＩＤの検索を行わないようにしたことを特徴とする請求項７記載のページング方法。
【請求項９】
前記上位ネットワークの移動通信交換局がパケットサービスと回線交換サービスとの連携機能を有する場合、前記移動通信交換局で前記移動局ＩＤの検索不要フラグは検索不要に設定され、前記基地局制御装置は前記検索不要フラグが検索不要であると判定して前記移動局ＩＤの検索を行わないようにしたことを特徴とする請求項７記載のページング方法。
【請求項１０】
前記基地局制御装置は、前記移動局ＩＤの検索不要フラグが検索不要を示す場合、ページングチャネルを用いて前記ページング処理を行うことを特徴とする請求項９記載のページング方法。
【発明の詳細な説明】
【０００１】
【発明の属する技術分野】
本発明はページングシステム及びページング方法並びにその方法を用いた基地局制御装置に関し、特に基地局から移動局がどこにいるかを調べるための一斉呼出しをＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）プロトコルのページング手順に従って行うページングシステム及びページング方法並びにその方法を用いた基地局制御装置に関する。
【０００２】
【従来の技術】
一般に、ＲＡＮＡＰプロトコルのページング手順は、以下のように行われる。すなわち、移動通信交換局（Ｍｏｂｉｌｅ  Ｓｗｉｔｃｈｉｎｇ  Ｃｅｎｔｅｒ；ＭＳＣ）を含む上位ネットワーク（Ｃｏｒｅ  Ｎｅｔｗｏｒｋ；ＣＮ）から基地局制御装置（Ｒａｄｉｏ  Ｎｅｔｗｏｒｋ  Ｃｏｎｔｒｏｌｌｅｒ；ＲＮＣ）にページング指令が送信されると、基地局制御装置はその指令に応答して移動局を一斉に呼出すページング処理を行う。この場合、移動局ＩＤ（ｃｏｍｍｏｎ  ＩＤ）の範囲、すなわちシステムが許容する移動局の数が多いと、基地局制御装置におけるプロセス量は多くなる。したがって、そのプロセス量を減らすのはかねてからの課題であった。
【０００３】
そこで、ページングの度に行われる移動局ＩＤによるＲＲＣ（Ｒａｄｉｏ  Ｒｅｓｏｕｒｃｅ  Ｃｏｎｔｒｏｌ）プロトコルによるコネクション（以下、ＲＲＣコネクションと呼ぶ）の検索処理について見直しを行ってプロセス量を減らす方法が考えられる。この移動局ＩＤは、移動局を識別するための識別情報である。
【０００４】
この移動局ＩＤの一例としてＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）がある。このＩＭＳＩは４バイト長であるため最大値が２32（約４．３×１０9  ）である。したがって、ページングの度にＩＭＳＩの検索を行うのは非常に負荷が大きい。
【０００５】
ここで、図１３には、従来のページングメッセージが示されている。従来のページング手順では、ページングメッセージを受信すると、基地局制御装置はそのページングメッセージを無線上のページングチャネル（Ｐａｇｉｎｇ  Ｃｏｎｔｒｏｌ  Ｃｈａｎｎｅｌ；ＰＣＣＨ）又は個別チャネル（Ｄｅｄｉｃａｔｅｄ  Ｃｏｎｔｒｏｌ  Ｃｈａｎｎｅｌ；ＤＣＣＨ）を用いて送信する。
【０００６】
この場合、基地局制御装置は、無線上のページングチャネルで送信するか、個別チャネルで送信するかを決定するために、メッセージ内の移動局ＩＤをキーに着信対象の移動局についてＲＲＣコネクションが既に確立されているかどうかを検索する。そして、ＲＲＣコネクションが確立されていなければページングチャネルで、確立されていれば個別チャネルでページングメッセージを送信する。これは、通信中でない移動局に対しては無線上のページングチャネルでページングメッセージを送信するが、通信中の移動局はページングチャネルではメッセージを受信できないため、既に確立されたＲＲＣコネクションを用いて個別チャネルにてページングメッセージを送信する必要があるからである。
【０００７】
次に、以上のページング処理について図１４及び図１５をも参照して説明する。
【０００８】
図１４は、上位ネットワーク１００から基地局制御装置２００を介して移動局３００を一斉呼出しするページング処理を行うページングシーケンスを示す図である。同図において、上位ネットワーク１００は図示せぬ移動通信交換局を含むものとし、その移動通信交換局と基地局制御装置２００との間はＳＣＣＰ（Ｓｉｇｎａｌｌｉｎｇ  Ｃｏｎｎｅｃｔｉｏｎ  Ｃｏｎｔｒｏｌ  Ｐａｒｔ）プロトコルによってコネクションが張られる。また、基地局制御装置２００は図示せぬ基地局を制御するものであり、この基地局と移動局３００との間にはＲＲＣプロトコルによってコネクションが張られる。
【０００９】
同図において、上位ネットワーク１００からＲＡＮＡＰプロトコルのページングメッセージ１１がＳＣＣＰプロトコルのコネクションレスにて基地局制御装置２００に送信される。このページングメッセージ１１には、移動局を識別するための移動局ＩＤが含まれているものとする。
【００１０】
基地局制御装置２００ではページングメッセージ１１内の移動局ＩＤ情報要素を用いて指定された移動局３００に既にＲＲＣコネクションが張られているかどうかを検索する。この場合、図１５に示されているテーブル、すなわち移動局ＩＤとＲＲＣコネクションとの対応関係を示すテーブルを用いて検索する（図１４中のステップ２１）。
【００１１】
ここで図１５を参照すると、例えば、移動局ＩＤ＝０ｘ１１１１００００ならば、「ＲＲＣコネクションなし」であるため「検索結果ＮＧ」（×印）となり、移動局３００に対してＲＲＣプロトコルページング１メッセージ１２をページングチャネルＰＣＣＨにて送信する。また、移動局ＩＤ＝０ｘ１１１１０００１ならば、「ＲＲＣコネクションあり」であるため「検索結果ＯＫ」（○印）となる。「検索結果ＯＫ」の場合、同テーブルにＲＲＣコネクションのうちのどのコネクションかを示す情報が書込まれているものとする（図示せず）。この検索結果によって得られた個別チャネルＤＣＣＨを用い、ページング２メッセージ１３を送信する。
【００１２】
次に、上位ネットワーク１００について説明する。基地局制御装置２００は以下に示す２つのタイプの上位ネットワークに接続することができる。
（１）分離（Ｓｅｐａｒａｔｅｄ）上位ネットワーク
これは、パケットサービス機能を持つノードと回線交換サービス機能を持つノードとが物理的に分かれている。
（２）連結（Ｃｏｍｂｉｎｅｄ）上位ネットワーク
これは、１ノード内にパケットサービス機能と回線交換サービス機能とを併せ持つ。さらに、この連結上位ネットワークには連携（Ｃｏ−ｏｒｄｉｎａｔｉｏｎ）機能の有無により、以下の２種類がある。
（２．１）連携機能を持たない連結上位ネットワーク
これは、物理的にはパケットサービス（Ｐａｃｋｅｔ  Ｓｅｒｖｉｃｅ）機能と回線交換サービス（Ｃｉｒｃｕｉｔ  Ｓｅｒｖｉｃｅ）機能とが同一ノード内にある。しかし、それらの機能は各々個別に動作する。
（２．２）連携機能を持つ連結上位ネットワーク
これは、パケットサービス機能と回線交換サービス機能とが連携している。
【００１３】
連携機能を持つ連結上位ネットワークでは、ページング要求された移動局が既にＲＲＣコネクションを持っているかどうかを認識できる。例えば、ある移動局に対して回線交換呼の着信要求があった場合、上位ネットワーク内で回線交換サービス機能部からパケットサービス機能部へパケット呼確立中かどうかを問合せることができる。既にパケット呼が確立されていればＲＲＣコネクションが確立されており、パケット呼が確立されていなければＲＲＣコネクションも確立されていないと判定できる。
【００１４】
なお、ＳＣＣＰは、図１６に示されているように、ＭＴＰ（Ｍｅｓｓａｇｅ  Ｔｒａｎｓｆｅｒ  Ｐａｒｔ）の上位階層で、かつＲＡＮＡＰの下位階層に位置する。そして、このＳＣＣＰのサービスには、コネクションが張られておらず単発で通信を行うコネクションレスと、予めコネクションを張っておきこの張られたコネクションを用いて通信を行うコネクションオリエンテッドとが存在するのである。
【００１５】
【発明が解決しようとする課題】
上述したページングシーケンスでは、上位ネットワーク側でＲＲＣコネクションありと判定できても、それを基地局制御装置に伝達する手段がないため、基地局制御装置では無条件にページング要求に対し、移動局ＩＤによる検索を行うことになる。よって、基地局制御装置におけるページング手順においては、移動局ＩＤを検索するプロセス量が多くなるという欠点がある。
【００１６】
本発明は上述した従来技術の欠点を解決するためになされたものであり、その目的はページング手順において移動局ＩＤを検索するプロセス量を削減することのできる基地局制御装置、これを用いたページングシステム及びページング方法を提供することである。
【００１７】
【課題を解決するための手段】
本発明によるページングシステムは、上位ネットワークからのページング指令に応答して基地局制御装置から移動局を一斉に呼出すページング処理を行うページングシステムであって、前記ページング指令には、前記基地局制御装置における移動局ＩＤの検索処理の要・不要を示す検索不要フラグが含まれることを特徴とする。前記ページングメッセージに移動局ＩＤの検索不要フラグが含まれる場合は前記基地局制御装置にて移動局ＩＤを検索する必要はなくなる。従って、前記基地局制御装置はページング手順において移動局ＩＤを検索するプロセス量を削減することができる。
【００１８】
本発明による基地局制御装置は、上位ネットワークからのページング指令に応答して移動局を一斉に呼出すページング処理を行う基地局制御装置であって、前記ページング指令に含まれる前記移動局ＩＤの検索処理の要・不要を示す検索不要フラグが、検索不要であると判定した場合に、前記移動局ＩＤの検索を行わないようにしたことを特徴とする。
【００１９】
本発明によるページング方法は、上位ネットワークからのページング指令に応答して基地局制御装置から移動局を一斉に呼出すページング処理を行うページング方法であって、前記ページング指令には、前記移動局ＩＤの検索処理の要・不要を示す検索不要フラグが含まれることを特徴とする。
【００２０】
要するに本発明においては、基地局制御装置におけるページング手順において移動局ＩＤを検索するプロセス量を削減する手段を提供する。このプロセス量の削減のために、本発明ではＲＡＮＡＰプロトコルのページングメッセージを２種類用意している。すなわち、図２に示されているページング１メッセージと、図３に示されているページング２メッセージである。
【００２１】
この２種類のページングメッセージを用意することにより、基地局制御装置において不要な移動局ＩＤの検索処理を行わずに済むようにしているのである。
【００２２】
図２に示されているページング１メッセージは、図１３のページングメッセージに検索不要フラグが追加されたものである。このフラグを参照すれば、基地局制御装置における移動局ＩＤ検索の要否を判定できるのである。基地局制御装置は検索不要フラグが“ＯＮ”を示している場合、すなわち上位ネットワークで既に検索済みの場合は移動局ＩＤの検索を行わない。
【００２３】
図３に示されているページング２メッセージは、連携機能ありの上位ネットワークにおいて、着信移動局に既にコネクションがあると判定された場合に用い、既に張られているＳＣＣＰコネクションを用いてメッセージを送信することで、基地局制御装置では移動局ＩＤの検索を行わずにＲＲＣコネクションを特定できる。
【００２４】
【発明の実施の形態】
次に、本発明の第１の実施の形態について図面を参照して説明する。なお、以下の説明において参照する各図においては、他の図と同等部分には同一符号が付されている。
【００２５】
本発明によるページングシステムでは、ＲＡＮＡＰプロトコルのページングメッセージとしてページング１メッセージとページング２メッセージとの２種類のメッセージを用いる。図２にページング１メッセージの構成、図３にページング２メッセージの構成がそれぞれ示されている。
【００２６】
図２に示されているページング１メッセージは、図１３のページングメッセージの情報要素に検索不要フラグが追加されたものである。この検索不要フラグは、基地局制御装置において移動局にＲＲＣコネクションが確立されているか否かを検索する必要があるか否かを、上位ネットワークから基地局制御装置に対して通知するためのフラグである。
【００２７】
一方、図３に示されているページング２メッセージは、図１３のページングメッセージとは全く異なる新規のメッセージである。このページング２メッセージは、情報要素を持っていない。
【００２８】
分離上位ネットワークと連携機能を持たない連結上位ネットワークは、ページング１メッセージのみを用いる。また、連携機能を持つ連結上位ネットワークは、ページング１メッセージ及びページング２メッセージの両方を用いる。
【００２９】
すなわち、ページング１メッセージは、第１ページング（移動局にＲＲＣコネクションが確立されていない）と確信できる場合か、第１ページングの可能性がある場合に使用することになる。一方、ページング２メッセージは、第２ページング以降（移動局にＲＲＣコネクションが確立されている）と確信できる場合に使用することになる。
【００３０】
まず、連携機能を持たない上位ネットワークからのページング処理について、図１を参照して説明する。同図において、図１４と同等部分は同一符号により示されている。
【００３１】
図１には、上位ネットワーク４００、基地局制御装置２００、移動局３００のそれぞれの動作と授受されるメッセージとが示されている。
【００３２】
連携機能を持たない上位ネットワーク４００はページング１メッセージ１４をコネクションレスにて基地局制御装置２００に対して送信する。このとき、ページング１メッセージ１４内の検索不要フラグは“ＯＦＦ”に設定する。
【００３３】
基地局制御装置２００ではページング１メッセージ１４を受信すると、メッセージ内の検索不要フラグを判定する（図１中のステップ２２）。検索不要フラグは“ＯＦＦ”であるため、次の移動局ＩＤ検索判定（図１中のステップ２１）を行う。これ以降は従来のシステムにおけるシーケンスと同様である。この場合、図１５に示されているテーブル、すなわち移動局ＩＤとＲＲＣコネクションとの対応関係を示すテーブルによりＲＲＣコネクションの有無を判定しＲＲＣプロトコルページング１メッセージ（ＰＣＣＨ）１２又はページング２メッセージ（ＤＣＣＨ）１３を、移動局３００に対して送信する。
【００３４】
次に、連携機能を持つ上位ネットワークからのページング処理について、図４〜図７を参照して説明する。まず着信先の移動局にＲＲＣコネクションが確立されていない場合、すなわち第１ページングメッセージの場合について図４及び図５を参照して説明する。
【００３５】
図４は通信中でない移動局３４に対して回線交換呼が着信した例を示している。上位ネットワーク４００に含まれる移動通信交換局３０に回線交換呼が着信すると回線交換サービス機能部３２からパケットサービス機能部３１へ着信先移動局が通信中か否かの問合せ４２を送る。そして、回線交換サービス機能部３２はパケットサービス機能部３１から移動局３４は通信中ではない旨の回答４３を受取り、第１ページングであることを認識する。
【００３６】
回線交換サービス機能部３２はページング１メッセージを作成し、既に検索済みであることを示すために検索不要フラグを“ＯＮ”に設定し、ＳＣＣＰのコネクションレスで基地局制御装置３３にページング１メッセージ４４を送信する。ページング１メッセージを受信した基地局制御装置の動作が図５に示されている。
【００３７】
図５において、基地局制御装置２００は上位ネットワーク５００からページング１メッセージ１５を受信すると、メッセージ内の検索不要フラグの値を判定する（図５中のステップ２２）。検索不要フラグは“ＯＮ”であるため、移動局ＩＤ検索処理をスキップして移動局３００に対してＲＲＣプロトコルのページング１メッセージ（ＰＣＣＨ）１２をページングチャネルにて送信する。図４に戻ると、基地局制御装置３３から移動局３４へページング１メッセージ４５が送信された状態である。
【００３８】
すなわち、基地局制御装置２００は上位ネットワーク５００から受取ったメッセージがページング１メッセージであり、かつ検索不要フラグが“ＯＮ”の場合は、移動局３００にＲＲＣコネクションは確立されていない（コネクションレス）と判定する。従って、移動局ＩＤの検索は不要となる。
【００３９】
次に、着信先の移動局にＲＲＣコネクションが既に確立されている場合について図６及び図７を参照して説明する。
【００４０】
図６には、パケットサービス通信中の移動局５４に対して回線交換呼が着信した例が示されている。上位ネットワーク４００に含まれる移動通信交換局５０に回線交換呼６１が着信すると、回線交換サービス機能部５２からパケットサービス機能部５１へ着信先移動局が通信中かどうかの問合せ６２を送る。そして、回線交換サービス機能部５２は移動局５４は通信中である旨の回答６３を受取り、移動局５４が既にＲＲＣコネクションを確立していることを認識する。回線交換サービス機能部５２はページング２メッセージを作成し、パケット呼用に既に確立されている移動通信交換局５０〜基地局制御装置５３間のＳＣＣＰコネクションを参照してコネクションオリエンテッドで基地局制御装置５３にページング２メッセージ６４を送信する。ページング２メッセージを受信した基地局制御装置の動作が図７に示されている。
【００４１】
図７において、基地局制御装置２００は上位ネットワーク５００からページング２メッセージ１６を受信すると、上位ネットワーク５００と基地局制御装置２００との間のＳＣＣＰコネクションから移動局３００のＲＲＣコネクションが複数あるＲＲＣコネクションのうちのどのコネクションかを特定する。そして、基地局制御装置２００は移動局３００に対して特定したＲＲＣプロトコルのページング２メッセージ１３を個別チャネルＤＣＣＨにて送信する。
【００４２】
図６に戻ると、基地局制御装置５３から移動局５４へページング２メッセージ６５が送信された状態である。また、移動局５４からのレスポンス６６はパケット呼用の移動通信交換局５０と基地局制御装置５３との間のＳＣＣＰコネクション６７を用いて返送しても、新たに回線交換呼用の移動通信交換局５０と基地局制御装置５３との間のＳＣＣＰコネクション確立要求６８により返送しても、どちらでも構わない。
【００４３】
すなわち、基地局制御装置２００は上位ネットワーク５００から受取ったメッセージがページング２メッセージである場合は、移動局３００にＲＲＣコネクションが確立されている（コネクションオリエンテッド）と判定する。従って、移動局ＩＤの検索は不要となる。又、この場合、検索不要フラグの確認も不要となる。
【００４４】
以上のように、上位ネットワークの連携機能に着目しページングメッセージを新たに２種類設けることで上位ネットワークで認識している情報を基地局制御装置に伝える手段を提供し、その情報を基に基地局制御装置が移動局ＩＤの検索の要否を判定できるようにすることにより、基地局制御装置におけるページング手順において移動局ＩＤを検索するプロセス量を削減できるのである。
【００４５】
次に、本発明の第２の実施の形態について、図８〜図１０を参照して説明する。
【００４６】
図８には、ページング２メッセージの第２の実施の形態であるページング２´メッセージの構成が示されている。上述した図３に示されているメッセージと異なる点は、ＳＣＣＰコネクションレスでメッセージを送信する点と、情報要素にコネクションＩＤが追加されている点である。
【００４７】
図９にはパケットサービス通信中の移動局７４に対して回線交換呼が着信した例が示されている。上位ネットワークに含まれる移動通信交換局７０に回線交換呼８１が着信すると、回線交換サービス機能部７２からパケットサービス機能部７１へ着信先移動局が通信中かどうかの問合せ８２を送る。そして、回線交換サービス機能部７２はパケットサービス機能部７１から移動局７４は通信中である旨の回答８３を受取り、移動局７４が既にＲＲＣコネクションを確立していることを認識する。回線交換サービス機能部７２はパケット呼用に確立されている移動通信交換局７０と基地局制御装置７３との間のＳＣＣＰコネクションを示すコネクションＩＤをページング２´メッセージに設定し、コネクションレスにより基地局制御装置７３にページング２´メッセージ８４を送信する。
【００４８】
ページング２´メッセージを受信した基地局制御装置の動作が図１０に示されている。図１０において、基地局制御装置２００は上位ネットワーク５００からページング２´メッセージ１７を受信すると、メッセージ内のコネクション（Ｃｏｎｎｅｃｔｉｏｎ）ＩＤから移動局３００のＲＲＣコネクションを特定し、移動局３００に対してＲＲＣプロトコルのページング２メッセージ１３を個別チャネルＤＣＣＨにて送信する。図９に戻ると、基地局制御装置７３から移動局７４へページング２´メッセージ８５が送信された状態である。
【００４９】
すなわち、基地局制御装置２００は上位ネットワーク５００から受取ったメッセージがページング２´メッセージである場合は、ページング２である場合と同様に移動局３００にＲＲＣコネクションが確立されていると判定する。従って、この場合も移動局ＩＤの検索は不要となる。又、この場合も、検索不要フラグの確認は不要となる。
【００５０】
以上のように、本例においても、ページングメッセージを２種類設けることで上位ネットワークで認識している情報を基地局制御装置に伝え、その情報を基に移動局ＩＤの検索の要否を判定できるようにすることにより、基地局制御装置におけるページング手順において移動局ＩＤを検索するプロセス量を削減できるのである。
【００５１】
以上の各動作をまとめると図１２のとおりである。図１２はページングシステムの動作を示す図である。すなわち、同図を参照すると、検索不要フラグが“ＯＦＦ”の場合は移動局ＩＤの検索が必要となるが、検索不要フラグが“ＯＮ”でかつ上位ネットワークから基地局制御装置への送信メッセージがページング１である場合は、移動局にＲＲＣコネクションが確立されていないと判定できるので、移動局ＩＤの検索は不要となる。
【００５２】
一方、ページング２の場合は、移動局にＲＲＣコネクションが確立されていると判定できるので、この場合も移動局ＩＤの検索は不要となる。
【００５３】
さらに、ページング２´の場合もページング２の場合と同様に移動局にＲＲＣコネクションが確立されていると判定できるので、移動局ＩＤの検索は不要となる。
【００５４】
ここで、図１１に示されているように、上位ネットワークに含まれている移動通信交換局４５０に複数の基地局制御装置２００、２０１…が接続され、各基地局制御装置２００に基地局２５０が接続されている状態を考える。この状態において、本システムを採用することによって、各基地局制御装置２００におけるページング手順において、移動局３００の移動局ＩＤを検索するプロセス量を削減できることは上述した通りである。
【００５５】
さらに、同図において、移動通信交換局４５０にページング要求が来た場合に、ページングエリアが基地局制御装置２００と基地局制御装置２０１に跨っている場合は、移動通信交換局４５０から基地局制御装置２００と２０１にページングメッセージが送出され、双方の基地局制御装置で検索処理が必要になる。しかし、本システムを採用すれば、移動局３００とのコネクションが基地局制御装置２００にあると特定できるので、基地局制御装置２０１にはページングメッセージは送出しない。つまり、基地局制御装置２０１に無駄なページングメッセージを送信することを防止できる。よって、そのコネクションに関係のある基地局制御装置のみが移動局ＩＤを検索すれば良く、他の基地局制御装置は無駄なプロセスを行う必要がないので、輻輳状態の発生を回避できるのである。
【００５６】
【発明の効果】
以上説明したように本発明によるページングシステムは、上位ネットワークからのページング指令に応答して基地局制御装置から移動局を一斉に呼出すページング処理を行うページングシステムであって、前記ページング指令には、前記移動局ＩＤの検索処理の要・不要を示す検索不要フラグが含まれることを特徴とする。前記ページングメッセ−ジに移動局ＩＤの検索不要フラグが含まれる場合は前記基地局制御装置にて移動局ＩＤを検索する必要はなくなる。従って、前記基地局制御装置はページング手順において移動局ＩＤを検索するプロセス量を削減することができる。
【００５７】
さらに、本発明による基地局制御装置は、上位ネットワークからのページング指令に応答して移動局を一斉に呼出すページング処理を行う基地局制御装置であって、前記ページング指令には、前記基地局制御装置から一斉に呼び出される移動局が持つＩＤの検索の要・不要を示す検索不要フラグが含まれ、前記基地局制御装置は前記検索不要フラグの内容に基づき移動局ＩＤの検索の要・不要を判定することを特徴とする。従って、本発明によるページングシステムと同様の効果を奏する。
【００５８】
さらに、本発明によるページング方法は、上位ネットワークからのページング指令に応答して基地局制御装置から移動局を一斉に呼出すページング処理を行うページング方法であって、前記ページング指令には、前記移動局ＩＤの検索処理の要・不要を示す検索不要フラグが含まれることを特徴とする。従って、本発明によるページングシステムと同様の効果を奏する。
【図面の簡単な説明】
【図１】本発明の実施の一形態によるページングシステムにおけるページング１シーケンスを示す図である。
【図２】図１のページングシステムにおけるページング１メッセージの内容を示す図である。
【図３】図１のページングシステムにおけるページング２メッセージの内容を示す図である。
【図４】連結上位ネットワークからのページングシーケンスを示す図である。
【図５】本発明の実施の一形態によるページングシステムにおけるページング１シーケンスを示す図である。
【図６】連結上位ネットワークからのページングシーケンスを示す図である。
【図７】本発明の実施の一形態によるページングシステムにおけるページング２シーケンスを示す図である。
【図８】本発明の実施の一形態によるページングシステムにおけるページング２´メッセージの内容を示す図である。
【図９】連結上位ネットワークからのページングシーケンスを示す図である。
【図１０】本発明の実施の一形態によるページングシステムにおけるページング２´シーケンスを示す図である。
【図１１】上位ネットワークに含まれている移動通信交換局、基地局制御装置、基地局の接続関係を示す図である。
【図１２】ページングシステムの動作を示す図である。
【図１３】従来のページングメッセージを示す図である。
【図１４】従来のページングシステムにおけるページングシーケンスを示す図である。
【図１５】移動局ＩＤとＲＲＣコネクションとの対応関係を示すテーブルを示す図である。
【図１６】ＳＣＣＰと他の階層との関係を示す図である。
【符号の説明】
３０，５０，７０，４５０  移動通信交換局
３１，５１，７１  パケットサービス機能部
３２，５２，７２  回線交換サービス機能部
３３，５３，７３，２００，２０１  基地局制御装置
３４，５４，７４，３００  移動局
１００，４００，５００  上位ネットワーク
【図１】
0003736533.tif 000002
【図２】
0003736533.tif 000003
【図３】
0003736533.tif 000004
【図４】
0003736533.tif 000005
【図５】
0003736533.tif 000006
【図６】
0003736533.tif 000007
【図７】
0003736533.tif 000008
【図８】
0003736533.tif 000009
【図９】
0003736533.tif 000010
【図１０】
0003736533.tif 000011
【図１１】
0003736533.tif 000012
【図１２】
0003736533.tif 000013
【図１３】
0003736533.tif 000014
【図１４】
0003736533.tif 000015
【図１５】
0003736533.tif 000016
【図１６】
0003736533.tif 000017